(57)【要約】【課題】  本発明は、軟弱地盤に適用可能のジャッキ付免震装置を提供することを目的とする。【解決手段】  免震装置として、積層ゴムの下に保護板を置き、これらの下側にジャッキを設け、地盤沈下等が生じた場合に、ホースによりジャッキに空気または液体を供給し、上側土台のレベルを元のレベルに戻すことが可能のジャッキ付免震装置を提供する。 【選択図】  図1
2020133835.tif 000002
【特許請求の範囲】
【請求項１】
建物等の免震装置において、積層ゴムの下に、保護板、ジャッキを置き、該積層ゴムの周囲に複数のオイルダンパーを配置し、軟弱地盤等により地盤の沈下等が生じた場合、ジャッキにより上側土台を元のレベルに戻すことを可能とするように構成されることを特徴とする、ジャッキ付免震装置。
【請求項２】
請求項1において、積層ゴムは、通常使用されている積層ゴム支承が使用可能であり、形状は楕円形、円形等とし、その下の滑り板の保護板との接触面積を小さくしたことを特徴とする、ジャッキ付免震装置。
【請求項３】
請求項1において、保護板は、通常使用されている滑り板の使用が可能であり、皿状の保護板を使用して、下のジャッキを保護することを特徴とする、ジャッキ付免震装置。
【請求項４】
請求項１において、オイルダンパーは、積層ゴムの周囲に配置され、下側土台の大きな長周期地震動を吸収し、小さな長周期地震動を上側土台に伝えることを特徴とする、ジャッキ付免震装置。
【発明の詳細な説明】
【技術分野】
【０００１】
本発明は、地震による建築物倒壊等を防ぐための免振装置に関する。
【背景技術】
【０００２】
従来は、建築物免震装置として、積層ゴムを用いた免震装置が用いられていた。
【０００３】
従って、従来の免震装置は、積層ゴムに関する、一層の改善が望まれる等の欠点があった。
【発明の概要】
【発明が解決しようとする課題】
【０００４】
本発明は、以上のような従来の欠点に鑑み、積層ゴムに関して、軟弱地盤等の地盤沈下の可能性がある場所に適用可能なジャッキ付免震装置を提供することを目的とする。
【課題を解決するための手段】
【０００５】
上記目的を達成するために、本発明は、積層ゴムの下に、保護板を置き、その下にジャッキを設け、地盤沈下が生じた場合、ジャッキにより上側土台を元のレベルに保つことを特徴とする、ジャッキ付免震装置を提供する。
【発明の効果】
【０００６】
以上の説明から明らかなように、本発明にあっては、次に列挙する効果が得られる。
（１）本発明のジャッキ付免震装置は、積層ゴム、保護板、ジャッキ、オイルダンパー、ロープ又はワイヤ等から構成され、積層ゴムの下側に、保護板と、ジャッキを備えているので、地盤沈下が生じた場合、ジャッキにより上側土台を元のレベルに戻すことが可能である。
【０００７】
（２）前記（１）において、積層ゴムは、縦断面形状が、楕円形、又は円形等であるので、下の保護板との接触面積を小さくでき、滑りを良くでき、揺れの低減が可能である。
【０００８】
（３）前記（１）において、ジャッキは、ゴム製の袋からなり、柔軟性があり、空気または液体により膨張収縮ができ、中のゴムボールにより、袋の上下の皮と皮の間にも滑りを生じることが可能である。
【０００９】
（４）前記（１）において、オイルダンパーは、上側土台と下側土台を結んでおり、下側土台の長周期地震動を大幅に吸収でき、安定した上側土台を提供できる。
【００１０】
（５）前記（１）において、ロープ又はワイヤは、オイルダンパーを上側土台と下側土台に接続する際に用いられ、揺れに対する応答性が良い。
【図面の簡単な説明】
【００１１】
【図１】本発明の実施例１の、ジャッキ付免震装置のB−B’側面断面図である。
【図２】ジャッキ付免震装置のA−A’平面断面図である。
【図３】横揺れの場合のジャッキ付免震装置のB−B’側面断面図である。
【図４】地盤沈下の場合のジャッキ付免震装置のB−B’側面断面図である。
【発明を実施するための形態】
【００１２】
以下、本発明の実施の形態を図に基づいて説明する。
【実施例１】
【００１３】
図1は、本発明の実施例1の、ジャッキ付免震装置のB−B’側面断面図である。B−B’側面断面図は図２のB−B’断面を示す。１は上側土台、２は下側土台、３は積層ゴム、４はジャッキ、５は保護板、６はゴムボール、７はホース、８は積層ゴム取付け用ボルト・ナット、９は積層ゴム取付け部、１０は積層ゴム取付け用ボルト・ナット取付け部、１１はオイルダンパー、１２はロープ又はワイヤ、１３はバネ、１４はロープ又はワイヤの取付け部、１５はロープ又はワイヤ・バネ受け、１６はオイルダンパーの取付け部である。上側土台１は、建物等の土台であり、積層ゴム３の上に乗せられる。積層ゴム３は、上側土台１の下側に、積層ゴム取付け用ボルト・ナット８で取り付けられており、地震の揺れを吸収する主体であり、建物等の全荷重を受け、建物等を支える。積層ゴム３は、保護板５の上に置かれ、その下にジャッキ４が置かれ、これらは下側土台２により受けられる。ジャッキ４は、ゴム製の袋から構成され、空気または液体により膨張収縮が可能である。ゴムボール６は、ジャッキ４内に入れられ、ゴム製の袋の上側と下側の皮と皮の間の滑りを可能にする。ホース７は、ジャッキ４に空気または液体を供給する。オイルダンパー１１は、ロープ又はワイヤ１２とバネ１３を介して上側土台１と下側土台２に接続され、下側土台２の長周期地震動を吸収し、上側土台１の安定化を図る。
【００１４】
図２は、ジャッキ付免震装置のA−A’平面断面図である。A−A’平面断面図は、図１のA−A’断面を示す。下側土台２は、方形であるが、積層ゴム３、ジャッキ４、保護板５は円形である。オイルダンパー１１は、積層ゴム３の周囲に四個設けられている。
【００１５】
図３は、横揺れの場合のジャッキ付免震装置のB−B’側面断面図である。下側土台２は、左方向に揺れ、ジャッキ４、保護板５、オイルダンパー１１が下側土台２の揺れ方向に動いている。積層ゴム３はジャッキ保護板５との間に滑りを発生している。ロープ又はワイヤ１２は曲がりを生じ、オイルダンパー１１は傾いている。
【００１６】
図４は、地盤沈下が生じた場合のジャッキ付免震装置のB−B’側面断面図である。軟弱地盤により地盤沈下が生じた場合、ジャッキ４は、ホース７により空気または液体を供給し、上側土台１のレベルを元の位置に戻した場合の状況を示す側面図である。ジャッキ４は上側に膨張している。バネ１３は収縮し、オイルダンパー１１は伸長している。また、ジャッキに、時間が経つと固まる性質をもつ液体を供給することで、元の位置に戻した上側土台１を固定することができる。
【産業上の利用可能性】
【００１７】
本発明は、軟弱地盤に適用されるジャッキ付免震装置の構成に関し、設計、製作、販売、施工、設置、管理する産業で利用される。
【符号の説明】
【００１８】
１    上側土台
２    下側土台
３    積層ゴム
４    ジャッキ
５    保護板
６    ゴムボール
７    ホース
８    積層ゴム取付け用ボルト・ナット
９    積層ゴム取付け部
１０  積層ゴム取付け用ボルト・ナット取付け部
１１  オイルダンパー
１２  ロープ又はワイヤ
１３  バネ
１４  ロープ又はワイヤ取付け部
１５  ロープ又はワイヤ・バネ受け
１６  オイルダンパー取付け部
A−A’    断面  
B−B’    断面
【図１】
2020133835.tif 000003
【図２】
2020133835.tif 000004
【図３】
2020133835.tif 000005
【図４】
2020133835.tif 000006